(57)【特許請求の範囲】
【請求項１】
横長矩形の段ボール基板の短辺を、中央部のブロック、これの両外側のブロックの三個のブロックに区画するように長辺方向に延びるように設けた２本の折線と、該折線で区画された中央部のブロック及び一方の外側のブロックに設けられ、該折線と直交する方向に設けた複数の折線と、両外側のブロックに設けられ、長辺方向に延びるように設けた折線と直交する方向に設けた複数の短い切れ目と、一方の外側のブロック及び中央部のブロックにかかるように設けられ、前記短い切れ目と平行し、長辺方向に延びるように設けた折り線と直交する方向に設けた複数の長い切れ目を設け、これ等の折線、切れ目で区画された複数のフラップを備え、
前記折線及び切れ目から該フラップを折り曲げて形成される箱状の胴部と、該胴部の少なくとも一端部に、該胴部と直角の方向に起立する箱状の起立部を一体に備える、
ことを特徴とする段ボール梱包箱。
【請求項２】
前記段ボール梱包箱は、胴部及び起立部がフラップの二枚重ね構造で、一部がフラップの三枚重ね構造で、他の一部が一枚のフラップで形成するようにしたことを特徴とする請求項１に記載の段ボール梱包箱。
【請求項３】
前記段ボール梱包箱は外形がＬ字形であり、Ｌ字形の製品を収納、梱包するようにしたことを特徴とする請求項１又は請求項２に記載の段ボール梱包箱。
【請求項４】
前記段ボール梱包箱は外形がＵ字形（凹形）であり、Ｕ字形（凹形）の製品を収納、梱包するようにしたことを特徴とする請求項１又は請求項２に記載の段ボール梱包箱。
【請求項５】
前記段ボール基板１０の短辺を三個のブロックに区画するように長辺方向に延びるように設けた二本の折線は、長さ方向に連続する複数の線分１２ａ，１２ｂ，１２ｃ，１２ｄ，１２ｅ，１２ｆを繋いだ折線１２と、長辺方向に繋がらない複数の線分１１ａ，１１ｂ，１１ｃ，１１ｄ，１１ｅ，１１ｆを有する折線１１とで構成し、該基板１０の前記折線１１，１２の外側の片１３，１５の長さ方向に、大小の間隔を開けて該折線に達する短い切れ目３９，５３，２５，１６，４９，３１，１９，２６，１７，２０を設け、且つ一方の外側の片１３から、一方の折線１１を越えて他方の折線１２に達する長い切れ目４１，３３を設け、折線１１，１２間の中央部の片１４には、切れ目２５，２６間を繋ぐ折線３０を、切れ目１６，１７を繋ぐ折線１８を、切れ目１９，２０を繋ぐ折線２１を設け、他方の外側の片１５には、前記した長い切れ目４１，３３を延長する折線４４，３６を設け、これ等切れ目、折線により一方の外側の片１３にフラップ４０，４２，５４，５６，２７，５０，５１，３４，３２，２２を設け、他方の外側の片１５にはフラップ４５，４６，２８，３７，３８，２３を設け、中央部の片１４にはフラップ４３，５５，２９，５２，３５，２４を設け、且つ一端部の中央部のフラップ４３の外側には、折線４７を有する接合フラップ４８を設け、該段ボール紙の基板を以下のように折り曲げて組み立て、接合することで形成したＬ形製品を収納し、梱包するための請求項１、請求項２又は請求項３に記載のＬ字形段ボール梱包箱。
（１）基板１０の長さ方向の中央部の対向する切れ目１６，１７、この間の折線１８を山折りし、隣接する切れ目２５，２６、この間の折線３０を山折りし、切れ目１９，２０、この間の折線２１を山折りし、フラップ２４と折線４７で谷折りした接合フラップ４８とを接合し、長い両側の片５２，３５，５５，４３及び短い両端部の片２４，２９で囲まれた矩形枠状体を組み立てる。
（２）前記折線１２ｃ，１２ｆ，１２ｂ，１２ａ，１２ｄ，１２ｅを山折りしてフラップ２８，２３，３７，３８，４６，４５を重ね合わせ、接合し、端部が三枚重ねで、中間部が二枚重ねの底を備える上方が開放された矩形箱体を組み立てる。
（３）前記矩形箱体の両側の長い切れ目４１，３３と一方の端部の片２９との間の中に、Ｌ形の製品を収納する。
（４）該切れ目４１，３３、この間の折線３６，４４を山折りし、フラップ２４が上となってＬ形となるように、フラップ３５，４３とをフラップ５２，５５の切れ目４１，３３に近い部分及びフラップ３４ｈ，５４の内側に重ね合わせて二枚重ねとし、フラップ５２，４３に連続するフラップ３４，４２をフラップ５２，５５の切れ目４１，３３に近い部分の内側に重ね合わせて二枚重ねとする。
（５）折線１１ｆ，１１ａ，１１ｅを谷折りしてフラップ２２，３２，４０を重ね合わせて三枚重ねとして接合し、且つ、折線１１ｃ，１１ｄ，１１ｂを山折りしてフラップ２７，５０，５６を山折りして端部をフラップ２７，５０，５６で三枚重ねとし、他の部分をフラップ５０，５６で二枚重ねとして接合する。
【請求項６】
前記段ボール基板１１０の短辺を三個のブロックに区画するように長辺方向に延びるように設けた二本の折線は、長辺と平行し、軸線を同じくする繋がった複数の線分からなる折線１１２と、長辺と平行し、繋がらない複数の線分１１１ａ，１１１ｂ，１１１ｃ，１１１ｄ，１１１ｅ，１１１ｆ，１１１ｇ，１１１ｈを有する折線１１１とで構成し、基板１１１の前記折線１１２，１１１の外側の片１１３，１１５の長さ方向に大小の間隔を開けて該折線１１２，１１１に達する短い切れ目１２３ａ，１２３ｂ，１２３ｃ，１２３ｄ，１２３ｅｆ，１２３ｇ，１２３ｈ，１２３ｉ，１２３ｊ，１２３ｋ，１２３ｍ，１２３ｎ，１２３ｐを設け、且つ一方の外側の片１１３には、該片１１３から折線１１２に達する長い切れ目１２４ａ，１２４ｂ，１２４ｃ，１２４ｄを設け、折線１１２，１１１の間の中央部の片１１４には、所定の短い切れ目１２３ａと１２３ｍ、１２３ｆと１２３ｎ，１２３ｇと１２３ｐとの間を繋ぐ折線１１６，１１７，１１８を設け、折線１１２の外側の片１１５には、前記長切れ目１２４ａ，１２４ｂ，１２４ｃ，１２４ｄと軸線を同じくする折線１１９，１２０，１２１，１２２を設け、折線１１１の外側の片１１３には、切れ目１２３ａ〜１２３ｋと折線１１１の折線１１１ａ，１１１ｂ，１１１ｃ，１１１ｄ，１１１ｅ，１１１ｆ，１１１ｇ，１１１ｈ、折線１１２とで区分されたフラップ１２５，１２６，１２９，１３２，１２５ａ，１３２ａ，１２９ａ，１２６ａを設け、前記長い切れ目１２４ａ，１２４ｂ，１２４ｃ，１２４ｄの長さ方向の両側には、折線のないフラップ１２７，１２８，１３０，１３１，１３１ａ，１３０ａ，１２８ａ，１２７ａを設け、中央部の片１１４には、前記折線１１６，１１７，１１８、長い切れ目１２４ａ，１２４ｂ，１２４ｃ，１２４ｄとで区分されたフラップ１３７，１４０，１４１，１４２，１３７ａ，１４２ａ，１４１ａ，１４０ａを設け、折線１１２の外側の片１１５には、短い切れ目１３ｍ，１２３ｎ，１２３ｐ、折線１１９，１２０，１２１，１２２と折線１１２とで区分されフラップ１３３，１３４，１３５，１３６，１３３ａ，１３６ａ，１３５ａ，１３４ａを設け、且つ一端部の中央部の片１３７の外側には、折線１３８を有する接合フラップ１３９を設け、該段ボール基板１１０を以下のように折り曲げて組み立て、接合することで形成したＵ字形製品を収納、梱包するための請求項１、請求項２又は請求項４に記載のＵ字形段ボール梱包箱。
（１）基板１１０の長さ方向の中心線ＣＬに臨む短い切れ目１２３ｆ，１２３ｎ、この間の折線１１７を山折し、中央部の片１１４の一端部のフラップ１３７の外側の接合フラップ１３９を折線１３８で谷折し、該接合フラップ１３９と中央部の片１１４の他端部のフラップ１４０ａの端部とを接合し、矩形横長枠状体１１０ｂを組み立てる。
（２）フラップ１３３，１３３ａを折線１１２から山折し、フラップ１３４ａ，１３５ａ，１３６ａと１３４，１３５，１３６とを折線１１１から山折して重ね合わせ、両端部が三枚重ね構造で、この間の部分が二枚重ね構造となるように重ね合せて接合し、上方を開放した底を有する矩形横長の箱体１１０ｃを組み立てる。
（３）前記箱体１１１ｃの底の折線１１９，１２２及び１２０，１２１の長さ方向の外側の組立体部分１１０ｅ，１１０ｆを、該折線１１９，１２２及び１２０，１２１から山折し、該組立体部分１１０ｅ，１１０ｆの開放端部側をフラップ１３５又は１３５ａの上の幅方向の両端部上に重ねる。
（４）前記組立体部分１１０ｅ，１１０ｆの開放端部側のフラップ１２５，１２６，１２６ａ及び１２５ａ，１３２，１３２ａを折線１１１ａ，１１１ｂ，１１１ｈ及び１１１ｅ，１１１ｄ，１１１ｆから山折して重ね合せて接合し、該組立体部分１１０ｅ，１１０ｆの上半部を三枚重ね構造とし、上半部が閉塞された縦方向の箱状部分１１０ｈ，１１０ｉを組み立てる。
（５）フラップ１４１ａ，１４１を対称的に折線１１２から山折し、折線１１２の外側の長さ方向前後のフラップ１２８ａ，１３０ａ，１３０，１２８及びフラップ１４１ａ，１４１の前後の部分を、前記箱状部分１１０ｈ，１１０ｉを含む組立体部分１１０ｅ，１１０ｆ側面を構成する１４０ａ，１４０，１４２ａ，１４２の外側に重ね合わせ、且つフラップ１４１ａ，１４１の長さ方向の中間部にフラップ１２７ａ，１２７及び１３１ａ，１３１を重ね合わせて二枚重ね構造とし、続いて、折線１１１ｇ，１１１ｃを山折してフラップ１２９ａ，１２９を重ね合せて接合し、二枚重ね合せ構造の上面を組み立てる。
【請求項７】
前記底を有する矩形横長の箱体１１０ｃを組み立て、折線１１２から該箱体１１０ｃの長さ方向中間部の両側のフラップ１４１ａ，１４１を、フラップ１３０ａ，１２８ａ，１３０，１２８を含んで開き、この間にＵ字形製品をＵ字形の姿勢で配置し、爾後、前記組立体部分１１０ｅ，１１０ｆを折線１１９，１２２及び１２０，１２１から山折するようにした請求項６に記載の段ボール梱包箱。
【発明の詳細な説明】
【０００１】
【発明の属する技術分野】
本発明は、改良されたＬ字形やＵ（凹）字形の段ボール梱包箱に関する。
【０００２】
【従来の技術】
Ｌ字形の物品やＵ字形の物品を収納し、梱包する段ボール梱包箱として、一端部、或いは両端部に、直角に起立したＬ形の部分を有するＬ字形やＵ字形の段ボール梱包箱が用いられている。
【０００３】
Ｌ字形の物品を収納、梱包する段ボール梱包箱として、従来、▲１▼実開昭６０−９２９１８号公報開示の技術が提案されている。
この段ボール梱包箱は、一枚の段ボール紙の基板を、細幅の中央片、これの外側方に突出する長さ方向への複数のフラップ等を備える略「奴凧」類似の形状に打ち抜き、これに折目、切れ目、及び複数のフラップを形成し、折目を折り、フラップの一部を二重に重ね合わせ、継ぎ目を繋ぎ合わせて組み立て、全体して筒状でＬ字形の段ボール梱包箱を形成するものである。
【０００４】
バンパーの外形は、略々フラットな前面部、これの両端部から後方に屈曲した両側部を備えるＵ字形類似の形状であり、該バンパーを、段ボール梱包箱に収納、梱包するには、段ボール梱包箱内の収納空間がＵ字形類似の形状で、且つ外形がＵ字形類似の段ボール梱包箱を必要とする。
従来のＵ字形の類似の梱包箱としては、▲２▼実開平２−４８５１６号公報開示の技術が知られている。
【０００５】
この梱包箱は、同公報の第２図で明示されているように、段ボール紙等で上方、中間部の直線部が上方に開放し、両側の起立部が対称的に内側に開放した下半の容器体と、直線部が下方に開放し、両側部の起立部が下方に開放した蓋体の２部材からなる。
組み立てた下半のＵ字形の容器体にＵ字形の製品を収納し、この上から同様にＵ字形の蓋体を被せ、Ｕ字形の製品を収納、梱包するものである。
【０００６】
【発明が解決しようとする課題】
以上の▲１▼に開示された従来のＬ字形の物品収納用の梱包段ボール梱包箱は、基板の形状が複雑で、裁断加工が面倒である。又形状が複雑なことから組み立て作業が複雑、面倒であること等、組み立て、梱包作業が複雑、面倒である。
又得られた梱包箱の周壁の一部が二枚重ね構造となり、大部分の周壁は一枚紙で構成されている。
【０００７】
従って、段ボール梱包箱を多数平積み状態で段積みした場合、段ボール梱包箱の平積み状態における上下方向の剛性に高いものが得られ難い。従って、多数個平積み状態で段積みした場合、重量がかかる下位のものが潰れる虞がある。
このため、多数個の段ボール梱包箱を平積み状態で段積みした場合、下位の段ボール梱包箱内に梱包、収納された物品が変形してしまう虞がある。
このため、段ボール梱包箱に、自動車のプレス成形品のフロントフェンダー等を梱包、収納し、平積み状態で段積みした場合、段ボール梱包箱の変形が、直ちに、梱包された樹脂製品の変形や傷つきを招来するので、限られた少数個しか段積みすることができない。
特に、プレス成形品のフロントフェンダーは、自動車の最重要外観部品であるため、変形や傷つきは絶対に回避したい。
【０００８】
以上の▲２▼にかかる従来公報に開示されたＵ字形製品の収納、梱包箱は、先ず容器体と蓋体との２部材からなるので、梱包箱の部品点数が多い。
容器体、蓋体と個別の組み立てという２つの箱組み立て作業を必要とするので、作業工数が多くなり、このため、組立作業が面倒、煩雑である。
又下半部の容器体を組み立て、これに製品を収納し、爾後、蓋体を被せて接合する作業を要し、製品の収納、梱包作業が梱包箱の組立時に行えないので、工数が多くなり、面倒、煩雑である、という不具合もある。
【０００９】
又同公報の第４図、第５図に示すように、容器体、蓋体を組み立てる基板が、略々Ｈ字形の形状であり、両側にフラップが突出し、基板の裁断が複雑であり、基板成形が難しい。
又二枚の基板の裁断を必要とし、裁断、成形作業も２つ必要とし、コスト的にも不利である。
又この種の基板は、組み立てる前に平積みにしてストックしておくものであるが、各基板の側方にフラップが突出しており、積層した状態での縛着のための結束や搬送時に、フラップが突出するので、ストック上、搬送上不利である。
又基板の側方にフラップが突出しているので、搬送時にフラップが障害物に接して傷めたり、組み立てに際し、個々に取り出した際、突出したフラップに障害物が接したりして傷めたり、曲げてしまったり、壊したりする虞もある。
従って、ストック、搬送、個々の取り出しに際し不便であり、組立作業に際し、突出したフラップの引っ掛け等に細心の注意を払って組み立てる必要があり、これ亦、組立作業が面倒、煩雑化する要因となる。
【００１０】
又二枚の基板の底部、或いは頂部の側方にフラップを突出させて容器体、蓋体を折って組立ているので、得られた凹形梱包箱の大部分が一枚構造となり、箱体を寝かせた状態における上下方向の剛性に高いものが得られ難い。
従って、製品を収納、梱包した梱包箱を、同公報の第１図では、寝かせて平積みに多数個積層段積みするした場合、箱体が変形したりする虞が多分にある。この結果、収納、梱包した製品の変形、損傷を招く虞があり、樹脂製バンパーにおいては大きな変形を生じる虞がある。このため、実用上は、箱が変形しない程度の極めて少数個を積層することのみが可能である。
【００１１】
従って、この種梱包箱を多数個平積み状態で段積み積層するには、上述のように箱自身の剛性が低いことから、段ボール梱包箱を内箱とし、これの外側を剛性の高い別の外箱で囲む必要がある。内箱の他に、別の外箱を必要とすることから、段積み、積層用の箱が増え、コスト的に極めて不利である。又内箱に相当する梱包箱を外箱に収納する作業をも必要とし、作業工数が増えて不利である。更に、外箱の分、梱包箱全体の外形も大きくなり、積層した場合の高さも増え、スペース上不利でもある。
以上の他、梱包箱の大部分が一枚構造なので、製品を取り出した後の損傷の度合いが大きくなる可能性があり、再使用も１回〜２回程度が限度で、多数回の再使用がし難く、再使用を行なう上でも不利である。
【００１２】
本発明の目的とする処は、段ボール梱包箱に、製品、例えば、Ｌ字形の自動車のプレス成形品のフロントフェンダーやＵ字形のバンパー等を収納し、梱包する段ボール梱包箱を、単純形状の一枚の段ボール基板から、又一枚の段ボール基板のみで収納することができるＬ字形やＵ字形の段ボール梱包箱を提供することにある。
又本発明の目的とする処は、横長矩形の単純形状の段ボール基板に、裁断と同時に折線や切れ目を設ける、という簡素な段ボール基板構造で複雑形状のＬ字形、Ｕ字形の段ボール梱包箱が得られ、基板の構造が単純、簡素であり、基板の製作が容易である段ボール梱包箱を提供する。
又本発明の目的とする処は、折線、切れ目からの折り作業、テープの貼着等という簡易な作業で、複雑形状のＬ字形、Ｕ字形の段ボール梱包箱を、Ｌ字形製品、Ｕ字形を収納しつつ、組み立て、梱包することができる段ボール梱包箱を提供する。
【００１３】
又本発明他の目的とする処は、Ｌ字形やＵ字形の製品を収納するＬ字形やＵ字形の段ボール梱包箱を、平積み状態で多数段積みした場合における箱の変形を十分に防止し得る剛性をを確保し、外箱を必要とすることなく、段ボール梱包箱自体で必要、且つ充分の剛性を確保し、多数個段積み可能としたＬ字形やＵ字形の段ボール梱包箱を提供する。
又本発明は、他の目的とする処は、段ボール梱包箱の開梱後、再使用可能な段ボール梱包箱を提供し、上記と併せ、コスト上極めて有利である段ボール梱包箱を提供する。
又本発明の他の目的とする処は、段ボール紙基板が横長矩形の単純形状なので、中心部から山折して１／２の矩形基板として周囲にフラップを突出させることなく平積み積層ができ、縛着等してストック上極めて有利であり、ストック、運搬等において、周囲にフラップが突出しないことから、フラップを曲げて傷つけたり、壊したりすることのない段ボール紙基板をも提供する。
【００１４】
又本発明の他の目的とする処は、大部分が二枚重ね構造、剛性を要する部分が三枚重ね構造なので、製品を取り出した後においても高い剛性を保持することができ、多数回にわたって再使用が可能であり、反復して多数回の使用が可能で、この点においてコスト的に極めて有利であり、又リサイクルの点においても極めて有利であり、組立性が良いこと、基板が単純形状で裁断、成形が容易であること、ストック上外箱を必要としないこと等と併せ、コスト的に極めて有利でもある段ボール梱包箱を提供することをも目的とする。
【００１５】
【課題を解決するための手段】
上記課題を解決するために請求項１は、段ボール梱包箱であって、横長矩形の段ボール基板の短辺を、中央部のブロック、これの両外側のブロックの三個のブロックに区画するように長辺方向に延びるように設けた２本の折線と、該折線で区画された中央部のブロック及び一方の外側のブロックに設けられ、該折線と直交する方向に設けた複数の折線と、両外側のブロックに設けられ、長辺方向に延びるように設けた折線と直交する方向に設けた複数の短い切れ目と、一方の外側のブロック及び中央部のブロックにかかるように設けられ、前記短い切れ目と平行し、長辺方向に延びるように設けた折り線と直交する方向に設けた複数の長い切れ目を設け、これ等の折線、切れ目で区画された複数のフラップを備え、前記折線及び切れ目から該フラップを折り曲げて形成される箱状の胴部と、該胴部の少なくとも一端部に、該胴部と直角の方向に起立する箱状の起立部を一体に備えることを特徴とする。
【００１６】
請求項１では、一枚の段ボール基板として横長矩形のものを用い、これに短辺を三個のブロックに区画するように長辺方向に延びる折線を設け、この折線と直交するように折線、短い切れ目、長い切れ目を設け、これ等の折線、切れ目から折り曲げるだけで、箱状の胴部と、胴部の少なくとも一端部に箱状の起立部を備える段ボール梱包箱を得ることができる。
又一枚の展開形状が横長矩形の段ボール基板であり、これに切れ目、折線を設けるだけなのでで、基板の裁断、成形が容易であり、切れ目、折線で折り、粘着テープ等で接合するだけで、容易に組み立てることができる。
又段ボール紙基板が横長矩形の単純形状なので、中心部から山折することで、長さが１／２の単純形状の矩形基板となり、周囲にフラップが突出することがなく、１／２に折った状態で横長矩形の板材として平積み積層ができる。紐やバンドで縛着等してストックする上で極めて有利であり、ストック、運搬等において、周囲にフラップが突出しないことから、フラップを曲げて傷つけたり、壊したりするこがとがない。
【００１７】
請求項２は、請求項１において、段ボール梱包箱は、胴部及び起立部がフラップの二枚重ね構造で、一部がフラップの三枚重ね構造で、他の一部が一枚のフラップで形成するようにしたことを特徴とする。
【００１８】
胴部及び起立部がフラップの二枚重ね構造で、一部がフラップの三枚重ね構造で、他の一部が一枚のフラップで形成したので、剛性を要する部分が三枚重ね構造で、その他の剛性を有する部分が二枚重ね構造であり、剛性をさほど要しない部分は例外的に１枚構造となり、得られた段ボール梱包箱は、それ自身で高い剛性を備える。従って、Ｌ字形やＵ字形の製品を収納するＬ字形やＵ字形の段ボール梱包箱を、平積み状態で多数段積みした場合における箱の変形を十分に防止することができる。このため、外箱を必要としない。
大部分が二枚重ね構造、高い剛性を要する部分が三枚重ね構造であり、剛性をさほど必要としない部分が一枚構造なので、段ボール梱包箱を展開して分解後、梱包製品の取り出した後においても高い剛性を保持することができ、基板の傷みは少なく、多数回にわたって再使用が可能であり、反復して多数回の使用することで、コスト的に極めて有利である。又リサイクルの点においても極めて有利である。
【００１９】
請求項３は、請求項１又は請求項２において、段ボール梱包箱は外形がＬ字形であり、Ｌ字形の製品を収納、梱包するようにしたことを特徴とする。
【００２０】
請求項３では、Ｌ字形の段ボール梱包箱を、裁断や折線、切れ目を形成し、製作がが容易である一枚の横長矩形の単純形状の段ボール基板により、組み立てることができる。得られたＬ字形の段ボール梱包箱は、殆どが二枚構造、三枚構造なので、高い剛性を備える。このため、Ｌ字形製品を収納、梱包した状態で、外箱を必要とすることなく、Ｌ字形段ボール梱包箱を多数個積層することができる。Ｌ字形段ボール梱包箱を展開して分解し、梱包製品の取り出した際、基板の傷みは少なく、再使用が可能である。
【００２１】
請求項４は、請求項１又は請求項２において、段ボール梱包箱は外形がＵ字形（凹形）であり、Ｕ字形（凹形）の製品を収納、梱包するようにしたことを特徴とする。
【００２２】
請求項４では、Ｕ字形の段ボール梱包箱を、裁断や折線、切れ目を形成し、製作がが容易である一枚の横長矩形の単純形状の段ボール基板により、組み立てることができる。得られたＵ字形の段ボール梱包箱は、殆どが二枚構造、三枚構造なので、高い剛性を備える。このため、Ｕ字形製品を収納、梱包した状態で、外箱を必要とすることなく、Ｕ字形段ボール梱包箱を多数個積層することができる。Ｕ字形段ボール梱包箱を展開して分解し、梱包製品の取り出した際、基板の傷みは少なく、再使用が可能である。
【００２３】
請求項５は、請求項１、請求項２又は請求項３において、段ボール基板１０の短辺を三個のブロックに区画するように長辺方向に延びるように設けた二本の折線は、長さ方向に連続する複数の線分１２ａ，１２ｂ，１２ｃ，１２ｄ，１２ｅ，１２ｆを繋いだ折線１２と、長辺方向に繋がらない複数の線分１１ａ，１１ｂ，１１ｃ，１１ｄ，１１ｅ，１１ｆを有する折線１１とで構成し、該基板１０の前記折線１１，１２の外側の片１３，１５の長さ方向に、大小の間隔を開けて該折線に達する短い切れ目３９，５３，２５，１６，４９，３１，１９，２６，１７，２０を設け、且つ一方の外側の片１３から、一方の折線１１を越えて他方の折線１２に達する長い切れ目４１，３３を設け、折線１１，１２間の中央部の片１４には、切れ目２５，２６間を繋ぐ折線３０を、切れ目１６，１７を繋ぐ折線１８を、切れ目１９，２０を繋ぐ折線２１を設け、他方の外側の片１５には、前記した長い切れ目４１，３３を延長する折線４４，３６を設け、これ等切れ目、折線により一方の外側の片１３にフラップ４０，４２，５４，５６，２７，５０，５１，３４，３２，２２を設け、他方の外側の片１５にはフラップ４５，４６，２８，３７，３８，２３を設け、中央部の片１４にはフラップ４３，５５，２９，５２，３５，２４を設け、且つ一端部の中央部のフラップ４３の外側には、折線４７を有する接合フラップ４８を設け、該段ボール紙の基板を以下のように折り曲げて組み立て、接合することで形成したＬ形製品を収納し、梱包するためのＬ字形段ボール梱包箱で、
（１）基板１０の長さ方向の中央部の対向する切れ目１６，１７、この間の折線１８を山折りし、隣接する切れ目２５，２６、この間の折線３０を山折りし、切れ目１９，２０、この間の折線２１を山折りし、フラップ２４と折線４７で谷折りした接合フラップ４８とを接合し、長い両側の片５２，３５，５５，４３及び短い両端部の片２４，２９で囲まれた矩形枠状体を組み立てる。
（２）前記折線１２ｃ，１２ｆ，１２ｂ，１２ａ，１２ｄ，１２ｅを山折りしてフラップ２８，２３，３７，３８，４６，４５を重ね合わせ、接合し、端部が三枚重ねで、中間部が二枚重ねの底を備える上方が開放された矩形箱体を組み立てる。
（３）前記矩形箱体の両側の長い切れ目４１，３３と一方の端部の片２９との間の中に、Ｌ形の製品を収納する。
（４）該切れ目４１，３３、この間の折線３６，４４を山折りし、フラップ２４が上となってＬ形となるように、フラップ３５，４３とをフラップ５２，５５の切れ目４１，３３に近い部分及びフラップ３４ｈ，５４の内側に重ね合わせて二枚重ねとし、フラップ５２，４３に連続するフラップ３４，４２をフラップ５２，５５の切れ目４１，３３に近い部分の内側に重ね合わせて二枚重ねとする。
（５）折線１１ｆ，１１ａ，１１ｅを谷折りしてフラップ２２，３２，４０を重ね合わせて三枚重ねとして接合し、且つ、折線１１ｃ，１１ｄ，１１ｂを山折りしてフラップ２７，５０，５６を山折りして端部をフラップ２７，５０，５６で三枚重ねとし、他の部分をフラップ５０，５６で二枚重ねとして接合する。
【００２４】
請求項５では、横長矩形の一枚の段ボール基板を、特定された折線、長短の切れ目を設けるので、段ボール基板の裁断と同時に折線、切れ目を裁断の工程と同時に形成することができ、基板の成形が極めて容易となり、折線、切れ目で区画されたフラップを、折線、切れ目から順次山折りすることで、一部が三枚構造で、大部分が二枚構造であり、最少の一部が一枚構造の剛性の高いＬ字形段ボール梱包箱を、フラップを折る作業、フラップの必要な部分に対するテープの貼着等の作業で、容易に行うことができる。
【００２５】
請求項６は、請求項１、請求項２又は請求項４において、段ボール基板１１０の短辺を三個のブロックに区画するように長辺方向に延びるように設けた二本の折線は、長辺と平行し、軸線を同じくする繋がった複数の線分からなる折線１１２と、長辺と平行し、繋がらない複数の線分１１１ａ，１１１ｂ，１１１ｃ，１１１ｄ，１１１ｅ，１１１ｆ，１１１ｇ，１１１ｈを有する折線１１１とで構成し、基板１１１の前記折線１１２，１１１の外側の片１１３，１１５の長さ方向に大小の間隔を開けて該折線１１２，１１１に達する短い切れ目１２３ａ，１２３ｂ，１２３ｃ，１２３ｄ，１２３ｅｆ，１２３ｇ，１２３ｈ，１２３ｉ，１２３ｊ，１２３ｋ，１２３ｍ，１２３ｎ，１２３ｐを設け、且つ一方の外側の片１１３には、該片１１３から折線１１２に達する長い切れ目１２４ａ，１２４ｂ，１２４ｃ，１２４ｄを設け、折線１１２，１１１の間の中央部の片１１４には、所定の短い切れ目１２３ａと１２３ｍ、１２３ｆと１２３ｎ，１２３ｇと１２３ｐとの間を繋ぐ折線１１６，１１７，１１８を設け、折線１１２の外側の片１１５には、前記長切れ目１２４ａ，１２４ｂ，１２４ｃ，１２４ｄと軸線を同じくする折線１１９，１２０，１２１，１２２を設け、折線１１１の外側の片１１３には、切れ目１２３ａ〜１２３ｋと折線１１１の折線１１１ａ，１１１ｂ，１１１ｃ，１１１ｄ，１１１ｅ，１１１ｆ，１１１ｇ，１１１ｈ、折線１１２とで区分されたフラップ１２５，１２６，１２９，１３２，１２５ａ，１３２ａ，１２９ａ，１２６ａを設け、前記長い切れ目１２４ａ，１２４ｂ，１２４ｃ，１２４ｄの長さ方向の両側には、折線のないフラップ１２７，１２８，１３０，１３１，１３１ａ，１３０ａ，１２８ａ，１２７ａを設け、中央部の片１１４には、前記折線１１６，１１７，１１８、長い切れ目１２４ａ，１２４ｂ，１２４ｃ，１２４ｄとで区分されたフラップ１３７，１４０，１４１，１４２，１３７ａ，１４２ａ，１４１ａ，１４０ａを設け、折線１１２の外側の片１１５には、短い切れ目１３ｍ，１２３ｎ，１２３ｐ、折線１１９，１２０，１２１，１２２と折線１１２とで区分されフラップ１３３，１３４，１３５，１３６，１３３ａ，１３６ａ，１３５ａ，１３４ａを設け、且つ一端部の中央部の片１３７の外側には、折線１３８を有する接合フラップ１３９を設け、該段ボール基板１１０を以下のように折り曲げて組み立て、接合することで形成したＵ字形製品を収納、梱包するためのＵ字形段ボール梱包箱で、
（１）基板１１０の長さ方向の中心線ＣＬに臨む短い切れ目１２３ｆ，１２３ｎ、この間の折線１１７を山折し、中央部の片１１４の一端部のフラップ１３７の外側の接合フラップ１３９を折線１３８で谷折し、該接合フラップ１３９と中央部の片１１４の他端部のフラップ１４０ａの端部とを接合し、矩形横長枠状体１１０ｂを組み立てる。
（２）フラップ１３３，１３３ａを折線１１２から山折し、フラップ１３４ａ，１３５ａ，１３６ａと１３４，１３５，１３６とを折線１１１から山折して重ね合わせ、両端部が三枚重ね構造で、この間の部分が二枚重ね構造となるように重ね合せて接合し、上方を開放した底を有する矩形横長の箱体１１０ｃを組み立てる。
（３）前記箱体１１１ｃの底の折線１１９，１２２及び１２０，１２１の長さ方向の外側の組立体部分１１０ｅ，１１０ｆを、該折線１１９，１２２及び１２０，１２１から山折し、該組立体部分１１０ｅ，１１０ｆの開放端部側をフラップ１３５又は１３５ａの上の幅方向の両端部上に重ねる。
（４）前記組立体部分１１０ｅ，１１０ｆの開放端部側のフラップ１２５，１２６，１２６ａ及び１２５ａ，１３２，１３２ａを折線１１１ａ，１１１ｂ，１１１ｈ及び１１１ｅ，１１１ｄ，１１１ｆから山折して重ね合せて接合し、該組立体部分１１０ｅ，１１０ｆの上半部を三枚重ね構造とし、上半部が閉塞された縦方向の箱状部分１１０ｈ，１１０ｉを組み立てる。
（５）フラップ１４１ａ，１４１を対称的に折線１１２から山折し、折線１１２の外側の長さ方向前後のフラップ１２８ａ，１３０ａ，１３０，１２８及びフラップ１４１ａ，１４１の前後の部分を、前記箱状部分１１０ｈ，１１０ｉを含む組立体部分１１０ｅ，１１０ｆ側面を構成する１４０ａ，１４０，１４２ａ，１４２の外側に重ね合わせ、且つフラップ１４１ａ，１４１の長さ方向の中間部にフラップ１２７ａ，１２７及び１３１ａ，１３１を重ね合わせて二枚重ね構造とし、続いて、折線１１１ｇ，１１１ｃを山折してフラップ１２９ａ，１２９を重ね合せて接合し、二枚重ね合せ構造の上面を組み立てる。
【００２６】
請求項６では、横長矩形の一枚の段ボール基板を、特定された折線、長短の切れ目を設けるので、段ボール基板の裁断と同時に折線、切れ目を裁断の工程と同時に形成することができ、基板の成形が極めて容易となり、折線、切れ目で区画されたフラップを、折線、切れ目から順次山折りすることで、一部が三枚構造で、大部分が二枚構造であり、最少の一部が一枚構造の剛性の高いＵ字形段ボール梱包箱を、フラップを折る作業、フラップの必要な部分に対するテープの貼着等の作業で、容易に行うことができる。
【００２７】
請求項７は、請求項６において、底を有する矩形横長の箱体１１０ｃを組み立て、折線１１２から該箱体１１０ｃの長さ方向中間部の両側のフラップ１４１ａ，１４１を、フラップ１３０ａ，１２８ａ，１３０，１２８を含んで開き、この間にＵ字形製品をＵ字形の姿勢で配置し、爾後、前記組立体部分１１０ｅ，１１０ｆを折線１１９，１２２及び１２０，１２１から山折するようにした。
【００２８】
請求項７では、組み立ての途中のＵ字形段ボール梱包箱の半完成品の状態でＵ字形製品をセットし、組み立てを進めることで、梱包箱の組み立てと並行して製品の収納、梱包を行うことができる。
【００２９】
【発明の実施の形態】
本発明の第１の実施の形態を添付図に基づいて以下に説明する。なお、図面は符号の向きに見るものとする。
第１の実施の形態は、Ｌ形の段ボール梱包箱の実施の形態である。図１〜図１３は、本発明の第１の実施の形態を示す。
尚、以下の説明においては、切れ目、折線で囲まれた部分をフラップとして表現したが、この部分以外の、折線で囲まれた片の部分も、便宜上フラップとして表現した。
【００３０】
図１は、Ｌ形段ボール梱包箱の基板１０の展開図で、横長矩形の一枚の段ボール紙を、裁断し、打ち抜き等して形成される。段ボール紙としては、一般的な段ボール紙、プラスティック製段ボール紙、耐水性段ボール紙、撥水性段ボール紙、合成樹脂製シート等が用いられる。
基板１０は、短辺（図の上下方向）を長さ方向に３つに区分する二本の折線１１，１２が該基板１０の長辺方向（長さ方向）に設けられており、該折線１１，１２により、基板１０は、図の短辺方向の中央部の片１４、中央部の片１４の両外側の片、即ち、上側部の片１３、下側部の片１５の三個のブロック、即ち中央部のブロック、これの両外側の三個のブロックに区画される。
中央部の片１４と上側部の片１３との境界部の基板１０の長さ方向に延びる折線１２は、長さ方向（図の左右方向）に各線分が断続する。
中央片１４と下側片１５との境界部の基板１０の長さ方向に延びる折線１２は、各線分が繋がって連続する。
【００３１】
便宜上、中央部の片１４と上側部の片１３との境界部の折線１１を、後述するフラップとの関係で、図の左側から個々の線分１１ａ，１１ｂ，１１ｃ，１１ｄ，１１ｅ，１ｆと符号を付した。
又中央部の片１４と下側部の片１５との境界部の折線１２を、後述するフラップとの関係で、図の左側から個々の線分１２ａ，１２ｂ，１２ｃ，１２ｄ，１２ｅ，１２ｆと符号を付した。
【００３２】
基板１０は、長辺方向（長さ方向）の中心に折線１１，１２と直交する方向の中心線ＣＬを境にして、左右対称的にフラップを備える。
中心線ＣＬの部分には、上下の折線１１，１２に達する同軸線の切れ目１６，１７を設け、この間を繋ぐ中央片１４の部分に軸線を同じくする折線１８を設け、折線１８は短辺のこの方向を縦断する。
基板１０の一端部、図では右端部から所定幅長さ方向の内側に入った箇所には、上側部、下側部の片１３，１５に、前記した折線１１ｅ，１１ｆに達する同軸線の切れ目１９，２０を、基板１０の長さ方向に対して直交するように設ける。切れ目１９，２０間の中央部の片１４に、同軸線の折線２１を、同様に基板１０の長さ方向に直交するように設ける。
【００３３】
これにより、幅が小さい上下の短いフラップ２２，２３及びこの間の小さい中央片部２４を設ける。
一方、基板１０の中心線ＣＬの長さ方向の左側には、切れ目１６，１７の左側に、折線１１ｃ，１２ｃに達する切れ目２５，２６を間隔を開けて基板１０の長さ方向に直交するように設ける。切れ目１６，１７、切れ目２５，２６と折線１１ｃ，１２ｃとの間に、短いフラップ２７，２８を図の上下に対称的に設け、又フラップ２７，２８間に小さい中央片部２９を設ける。前記したフラップ２２，２３及び中央片部２４と、フラップ２７，２８及び中央片部２９とは、基板１０の長さ方向に対称である。
切れ目２５，２６間には、軸線を同じくする折線３０を基板１０の長さ方向に直交するように設ける。
【００３４】
基板１０の右端部のフラップ２２，２３の基板１０の長さ方向内側、即ち左側には、上側部の片１３の短いフラップ２２に新設して、間隔を開けて折線１１ｅに達する切れ目３１を、基板１０の長さ方向に直交するように設け、フラップ３２を設ける。
又短いフラップ３２の長さ方向の内側には、間隔を開けて長い切れ目３３を基板１０の長さ方向に直交するように設ける。切れ目３３は、上側部の片１３から中央部の片１４を短辺方向に縦断し、その下端部は折線１２ｄ，１２ｅ（全体符号の折線１２）に達する。
【００３５】
これにより、図の上部に折線を備えない短いフラップ３４、該短いフラップ３４、隣接する短いフラップ３２の合計長さの中央片部３５を形成し、これ等は、切れ目３３，３１及び折線１１ｅ，１２ｅ，２１で囲まれてＬ字形である。
この部分の下側部の片１５は、前記した切れ目３３の先に、軸線を同じくする折線３６を、基板１０の長さ方向に直交するように設ける。下側部の片１５のこの部分は、折線３６を有するだけで、切れ目２０から前記した切れ目１７まで連続し、折線３６を境にしてこの部分の長さ方向に大きいフラップを３７，３８とした。
【００３６】
基板１０の図の左側端部寄り部分の上側部の片１３には、前記した切れ目３１に相当する切れ目３９、基板１０の長さ方向の折線１１ａにより、短いフラップ４０を設ける。又これの中心線ＣＬに寄った部分に折線１２ａ，１２ｂ（全体符号で折線１２）に達する長い切れ目４１を、基板１０の長さ方向に直交するように設け、前記したフラップ３４、中央片部３５と対称形状の折線を有しない短いフラップ４２及び中央片部４３を設ける。この部分の下側部の片１５は、切れ目４１と軸線を同じくする折線４４を、基板１０の長さ方向に直交するように設ける。
【００３７】
下側部の片１５のこの部分は、折線４４を有するだけで、切れ目２６から左側端部まで連続し、折線４４を境にして、この部分の基板１０の長さ方向に大きいフラップを４５，４６とした。フラップ４５，４６は、前記フラップ３７，３８と対称である
左側端部の中央片部４３の左端部には、基板１０の長さ方向に直交する方向に設けた折線４７で折る接合フラップ４８を設ける。
能である。
【００３８】
上側部の片１３の、中心線ＣＬの右側で、前記した長い切れ目３３で区画される左側の部分（中心線ＣＬ寄り方向）には、切れ目１９，３１，３３の間隔と同じ間隔の切れ目４９を折線１１ｄ（全体符号では１１）に達するまで設ける。
この切れ目４９に隣接して、中心線ＣＬの切れ目１６との間で、折線１１ｄ上に長いフラップ５０を設ける。切れ目３３，４９との間の折線を有しない短いフラップ５１とし、切れ目３３と中心線ＣＬの折線１８との間の中央片部を５２とする。該中央片部５２は、切れ目３３、折線１１ｄ，１２ｄ，１８で囲まれて左右が逆となるＬ字形をなす。
【００３９】
上側片１３の中心線ＣＬの左側の前記した長い切れ目４１の右側の部分（中心線ＣＬ方向に寄った部分）には、切れ目３９，４１の間隔、従って、対称的な切れ目１９，３１又３１，３３と等しい間隔で、短い切れ目５３を折線１１ｂ（全体符号では１１）に達するまで基板１０の長さ方向に直交するように設ける。
これにより、前記フラップ５１，５２と対称形状の折線１１ｂ，１２ｂ，３０で囲まれたＬ字形のフラップ５４（折線を有しないフラップ５１と対称），５５を設け、上側部の片１３の切れ目５３と２５との間に長いフラップ５６を設ける。
【００４０】
以上の基板１０は、所定長さの一枚の段ボール紙を横長矩形に裁断し、切れ目１６，１７，１９，２０，３１，３３，２５，２６，３９，４９，５３，４１を、基板１０の長さ方向に直交するように設け、基板１０の長さ方向には、折線１１，１２、個々には１１ａ〜１１ｆ，１２ａ〜１２ｆを設けて形成する。
従って、段ボール紙を、先行技術の上記した▲１▼のように、「奴凧」類似の複雑形状に裁断する必要がなく、一枚の段ボール紙を、単純形状の横長の矩形形状に裁断し、切れ目及び折線を設けるだけで良いので、裁断、切欠、折線の形成が容易である。
【００４１】
図２は、前記した図１で示した基板１０を２つ折にした状態の斜視図である。基板１０は、前記した長さ方向の中心線ＣＬの折線１８で、これを図１の展開状態から山折状態にする。折線１８の上下は、同軸線の切れ目１６，１７なので、容易に山折りすることが可能である。
このように折り、中心線ＣＬの左右の部分を重ね、且つ接合フラップ４８を矢印(a)に示すように折線４７を介して山折りし、上に臨む端部の中央小片２４の下に入り込ませる。
これにより、横長矩形の基板１０の長さ方向の寸法は１／２となり、ストックし易く、運び易い大きさとなる。この状態を符号１０ａで示した。
【００４２】
図３は、図２において２つ折りした基板１０ａ…（…は複数を表す。以下同じ）を多数枚積層して平積み状態とした斜視図である。
最も弱い部分である長い切れ目３３と切れ目４１とは、２つ折りした状態で位相がズレて配置され、２つ折した状態の剛性を確保することができる。
多数枚積層、平積みした状態で、長さ方向の前後に離間してベルト５７，５７を架け廻し、運びやすい重量の多数枚積層ブロックを形成する。
【００４３】
図４〜図１０は、以上で説明した基板１０を用いて、本発明の第１の実施の形態に係るＬ形段ボール梱包箱の組み立て手順を示す説明的斜視図である。
以下に各図を参照して説明する。
【００４４】
図４は、第１段階を示す説明的斜視図ある。
図２の２つ折した状態から基板１０を一枚抜き出し、段ボール梱包箱を組み立てる。
先ず、折線３０を山折りし、又折線２１を山折する。これにより、端部の幅狭の中央片部２４と中心線ＣＬと隣接する幅狭の中央片部２９とが向い合う。一端部の中央片部２４の内側と、図２に示した山折りした接合フラップ４８とを接着や粘着テープで接合する。
折線１８，３０，２１を介して偏平状態から開くことで、図４に示すように上下を開放した矩形枠状体１０ｂを形成する。
【００４５】
次に、図４のように矩形枠状体１０ｂを形成した後、両端部のフラップ２３，２８を折線１２ｃ，１２ｆから矢印(b)，(c)のように山折りする。
次に図４において、図の上側の連続するフラップ３８，３７を同軸線の折線１２ｄ，１２ｆから矢印(d)のように山折りする。
【００４６】
続いて図の下側のフラップ４５，４６を同様の折線１２ａ，１２ｂから矢印(e)のように谷折りする。このフラップ３８，３７の下面に、フラップ４５，４６を重ね合せる。
フラップ４５，４６の端縁部と、図４の上側となった元の中央片部３５，５２端縁部との間に、Ｌ形に粘着テープ５８で接合する。
【００４７】
図５は、第２段階を示す斜視図で、図４から箱状に組み立てた状態を示す。
これにより、上方が開放された矩形横長の箱体１０ｃが組み立てられることとなる。
フラップ２３，２８は、フラップ３８，３７の端部の上に位置し、この部分では、フラップ２３，２８、フラップ３８，３７及び最も外側（底面）のフラップ４５，４６の三枚重ね構造（三重構造）となる。
この結果、コーナー部の剛性が極めて高くなり、又実質上の底板を構成する部分は、フラップ３８，３７、フラップ４５，４６が重なった二枚重ね構造（二重構造）となる。
以上のように、上方を開放した矩形横長の箱体１０ｃを組み立てる。
【００４８】
矩形横長の箱体１０ｃ、図５のような寝かした状態（図のように横向きの状態）で複数個、平積しても（上下に積層状態で積んでも）、コーナー部は、上記により三枚重ね構造であり、又コーナ部間は二枚重ね構造なので、図における縦方向（横向きにした状態で上下方向）において、高い剛性が得られる。
【００４９】
図６は、上方が開放された矩形横長の箱体１０ｃを、前記した中央片部４５，４６を底として立て、Ｌ形樹脂製品（Ｗ１）、実施例では自動車のフロントフェンダーを収納する状態を示す斜視図である。
フロントフェンダー（Ｗ１）は、箱体１０ｃの長い切れ目３３，４１と端部のフラップ２９との間に上から挿入する。長い中央基片部５２、図では反対側で表れていないが図１に示した５５の部分内に収納する。
切れ目３３，４４の部分の先の中央片部３５の部分、図では反対側で表れていないが図１で示した４３の部分には、収納されるフロントフェンダー（Ｗ１）が配置されず、空所の状態にある。
【００５０】
図７は、箱体１０ｃからＬ形箱に組み立てる第３段階を示す図である。
説明の便宜上、図６に示したフロントフェンダー（Ｗ１）を省略して示した。前記した底となった中央片部３７，３８，４５，４６には、向い合う長い切れ目３３，４１（図６参照）間に、前記した折線３６，４４が配置されており、この折線３６，４４から、図７の矢印(f)で示すように直角に山折りする。
これによりフラップ３５，５５は起立し、箱体１０ｃの両側のフラップ５２，５５に対してＬ形に起立し、端部のフラップ２４は上となる。
【００５１】
これにより、折った状態で下位となるフラップ３４と４２は、図７に示すように側方の部分となる中央片部５２と５５の中間部側の内側に重なり、又３５と４３の片の下半部は、上記５２と５５の端部寄り部の部分の内側に重なり、更に３５と４３の片の上半部は、Ｌ形部分の起立したフラップ５１と５４の内側に重なる。
【００５２】
図８は、Ｌ形に端部を折曲げた状態の斜視図で、第４段階を示す。
構成する片相互が内外に重なり合い、理解し難いことを考慮し、図では、図７で示したフロントフェンダー収納部を説明の便宜上想像線で示し、Ｌ形の折曲げ、接合を実線で示した。
図８の矢印(g)で示すように、フラップ２２を折線１１ｆから山折して下方に折曲げ、次にフラップ３２，４０の順で折線１１ｅ，１１ａから山折りし、フラップ２２，３２，４０を三枚重ね（三重構造）とする。側部となる片３５の端部と、フラップ４０の対向する端部とを粘着テープ５９で接合する。
【００５３】
図９は、Ｌ形部分を組み立てた状態の第５段階を示す斜視図である。
上記により、Ｌ形部分は、側片部５２の端部側、この上の片５１（図７参照）、反対側は片５５と片５４（図７参照）と前記した折線３６，４４から折曲げた片３４と３５、反対側は片４２と４３（図７参照）とが内外に重なり合い、二枚構造（二重構造）となる。
又Ｌ形部分の外端部は、前記した図５、図６における底部が二枚構造（二重構造）なので、片３８，４５（図４、図５参照）とが重なって外端部を形成することとなる。
又Ｌ形の起立した部分の内側の端部は、フラップ２２，３２，４０が三枚重ね（三重構造）となり、他の部分の二枚構造と相俟って、平積み状態における高い剛性が得られる。
【００５４】
図９において、続いて箱体の端部のフラップ２７を折線１１ｃから図９の矢印(i)に示すように山折する。次に、長いフラップ５６，５０の順序で折線１１ｂ，１１ｄの順で矢印(j),(j)に従って山折りする。これ等フラップ５６，５０を上下に重ね合わせ、図１０の示すように粘着テープ６０で接合する。
これにより、図１０に示すようにＬ形梱包箱１０ｄを得る。
以上においては、フラップ２７，５６，５０により、端部において三枚構造（三重構造）となり、高い剛性が得られる。又他の部分は、フラップ５６，５０により二枚構造（二重構造）となり、高い剛性が得られる。
【００５５】
以上で得られたＬ形段ボール梱包箱１０ｄを図１０で示した。図では、コーナー部その他のコーナー部に粘着テープ６１，６２，６３，６４，６５を貼着し、全体として剛性の高いＬ形段ボール梱包箱１０ｄを形成した。
段ボール梱包箱１０ｄは、図１０に示すように、箱状の胴部１０ｅと、この胴部１０ｅの一端部から直角に起立した箱状の起立部１０ｆを連続して、一体に備える。
Ｌ形段ボール梱包箱１０ｄ内に収納、梱包されたＬ形樹脂製品（自動車のフロントフェンダー）を示すため、図１１では段ボール梱包箱１０ｄを想像線とし、透視斜視図として示した。
実施例では、フロントフェンダー（Ｗ１）なので、上下を逆にして収納し、横長のボンネット側方部分（Ｗ２）を下にし、下方に突出する後部（Ｗ３）を高いＬ形部分の起立した部分内に収納した。
【００５６】
図１２は、Ｌ形段ボール梱包箱１０ｄの中央縦断側面図である。
図の紙面表裏方向に、多数個の当該段ボール梱包箱を積層して段積みし、ストック可能とするものである。
図で明らかかなように、Ｌ形の起立した部分は、外端部側が４５，３８で二枚構造となる。内側端部が４０，３２，２２で三枚構造となる。底の部分が４６，３７で二枚構造となる。
上の部分が２７，５６，５０で半分が三枚構造、他の半分が５６，５０で二枚構造となる。
側方の部分は上記した通りで、図１１の紙面表裏方向に積層するに際し、一端部がフラップ２９の一枚構造、Ｌ形の頂部がフラップ２４の一枚構造のみなので、図における表裏方向への剛性は、上記した部分で高い剛性が得られる。
【００５７】
図１３は、成形製品を収納、梱包したＬ形段ボール梱包箱１０ｄ…（多数を表す）Ｌ形を横向きにして多数個積層して段積みした状態を示す斜視図で、積層した段ボール梱包箱１０ｄ…のグループ１０ｅを、交互に巴形に配置して、ストックスペースを小さなものとしてストックした状態を示した。
前記したように、Ｌ形を寝かせた状態における剛性に高いものが得られる結果、Ｌ形の樹脂成形製品を収納、梱包しつつ、多数個積層するに際し、剛性の高い外箱を必要とすることなく、Ｌ等他の段ボール梱包箱１０ｄ…を裸のまま多数個積層しても、段ボール梱包箱１０ｄ…相互が積層方向に変形することが抑制され、収納、梱包した樹脂製品の変形や傷つきの生じない状態で、段積みストックすることができる。
【００５８】
以上の本実施の形態にかかるＬ形段ボール梱包箱１０ｄにおいては、基板１０は横長矩形の単純形状であり、これに長さ方向への３等分した折線、及び切れ目を設けて折線、切れ目で複数個のフラップを形成するので、基板の成形が容易である。
又基板の長さ方向の中心線ＣＬから折り曲げることで、１／２の基板が形成される。１／２に折り畳んだ状態においても、従来のように横方向への一部のフラップの張り出しが無く、嵩ばらずに、張り出し部分が無い矩形板状態として結束等してストックすることができ、ストック上便利である。
又フラップの一部が張り出すことがないことからことから、張り出したフラップを引っ掛けて基板を傷めるような事態を防止することができる。
【００５９】
又横長矩形の基板を、折線、切れ目から折る単純な作業でＬ形梱包箱を得ることができ、組み立て作業性に優れたＬ形の段ボール梱包箱を得ることができ、得られたＬ形段ボール梱包箱は、最少の部分が一枚構造で、大部分が二枚重ね構造となり、剛性を要する部分が三枚重ね構造なので、剛性が高く、寝かせて多数個積層し、段積み可能なＬ形段ボール梱包箱を得ることが可能である。
従って、外箱を要することなく、寝かせて平積みに積層して段積み可能なので、ストック上有利であり、外箱を要しないことから、大幅なコストダウンを図ることができる。
【００６０】
更に二枚重ね構造、三枚重ね構造なので、一枚構造のように変形やヘタリが少ないので、反復して多数回使用することができる。このため、従来のように１回〜２回程度の反復使用可能なものに比較し、再使用上極めて有利であり、省資源上も有利であり、上記したように外箱を必要としないこと、基板の裁断が容易なこと、ストック上有利であること、組み立てが簡単であること、等と併せ、従来に比較し、コスト的に極めて有利である。
【００６１】
次に本発明の第２の実施の形態を図１４〜図２５で説明する。
第２の実施の形態にかかる段ボール梱包箱は、Ｕ形（凹形。以下Ｕ形と記す）の段ボール梱包箱である。
図１４は、本発明の第２の実施の形態にかかるＵ形の段ボール梱包箱の基板の展開図を示す。
基板を構成する段ボール紙は、前記した第１の実施の形態と同様に、一般的な段ボール紙、プラスティック製段ボール紙、耐水性段ボール紙、撥水性段ボール紙、合成樹脂製シート等を用いる。
【００６２】
基板１１０は、所定厚さの段ボール紙を、長辺が短辺に比較し長大な横長矩形形状である。基板１１０は、その短辺が、長辺方向（長さ方向）と平行する長辺方向に延びる二本の折線１１１，１１２で、図の上下の両側部の片１１３，１１５と、折線１１１，１１２間の中央部の片１１４との三個のブロックに区画される。
中央部の片１１４と図の下側部の側片１１５との間の長辺方向の折線１１２は、全体として長辺方向に軸線を同じくして連続しているので、後述する切れ目間の線分に区分されるが、全体符号１１２として示した。
【００６３】
図の上側部の側片１１３と中央部の片１１４との間の折線１１１は、長辺方向（基板１１０の長さ方向）に軸線を同じくするが、断続的に不連続に設けられている。
従って、折線を１１１として代表符号とし、折線１１１を、図の左から個々に線分１１１ａ、これに連続する線分１１１ｂ、２つのフラップを開けて長い１つの線分１１１ｃ、２つのフラップを開けて短い３つの線分１１１ｄ，１１１ｅ，１１１ｆ、２つのフラップを開けて長い１つの線分１１１ｇ、２つのフラップを開けて短い１つの線分１１１ｈと符号を付した。
又中央片１１４には、基板１１０の長辺と直交する方向（長さ方向に直交する方向）の折線を、図の左側から右側に１１６，１１７，１１８を設ける。下側の側片１１５には、同様に左側から後述する長い切れ目１２４ａ〜１２４ｄと軸線を同じくする折線１１９，１２０，１２１，１２２を、基板１１０の長さ方向に直交する方向に設ける。
【００６４】
次に切れ目について説明する。
切れ目は長辺に対し直交する方向（基１１０の長さ方向に直交する方向）に形成する。
図では両側部の片１１３，１１５の図の上下の端縁から折線１１１，１１２に達する短い切れ目を１２３ａ〜１２３ｐで表した。
短い切れ目は、基板１１０の長さ方向の中心線ＣＬの部分の上下の部分の切れ目１２３ｆ，１２３ｎを除いて、中心線ＣＬから左右対称に上下の片１１３には、各５個づつ設けた。短い切れ目は、下側の片１１５には、最も左側寄り部分及び中心線ＣＬの部分の右側に各１個づつ設けた。
又図の上の側片１１３の図の上端縁から、中央片１１４を、基板１１０の長さ方向に直交する方向に縦断し、中央片１１４と、この下の側片１１５との間の折線１１２に達する長い切れ目を１２４ａ〜１２４ｄで表し、長い切れ目１２４ａ〜１２４ｄは４個設けた。
【００６５】
次に折線及び切れ目で区分されるフラップに付いて説明する。
基板１１０の長辺方向の中心線を上記したようにＣＬで表した。
上側部の片１１３のフラップについて説明する。
上側部の図の左側（左端部）から小さな矩形のフラップ１２５を最も左側の切れ目１２３ａと折線１１１ａで形成した。
中心線ＣＬの右側に、該フラップ１２５と組立状態で対面する同様のフラップ１２５ａを中心線ＣＬ部分の切れ目１２３ｆと右側の切れ目１２３ｇとの間及び折線１１１ｅで形成した。
【００６６】
フラップ１２５の右側に隣接して小さいフラップ１２６を、短い切れ目１２３ａ，１２３ｂ及び折線１１１ｂで設ける。基板１１０の右端部に短い切れ目１２３ｋ及び折線１１１ｈにより、組立状態でフラップ１２６と対面する同様のフラップ１２６ａを設ける。
フラップ１２６の右側には、短い切れ目１２３ｂ及び長い切れ目１２４ａを介して、折線のない小さいフラップ１２７を形成する。又前記した右端部のフラップ１２６ａの左側に、短い切れ目１２３ｋ及び長い切れ目１２４ｄを介して折線のないフラップ１２７と組立状態で対面する同様のフラップ１２７ａを形成する。
【００６７】
フラップ１２７に隣接する長い切れ目１２４ａと、長辺方向に間隔を開けて右側に設けた短い切れ目１２３ｃとの間には、フラップ１２７に隣接して折線のない小さいフラップ１２８を形成する。フラップ１２８に隣接して、短い切れ目１２３ｃ，１２３ｄと折線１１１ｃとにより、長辺方向に長いフラップ１２９を形成する。右側の長い切れ目１２４ｂとフラップ１２９の右の短い切れ目１２３ｄとの間に折線のないフラップ１３０を形成する。
前記した右側のフラップ１２７ａの左側には、長い切れ目１２４ｄ、短い切れ目１２３ｊ，１２３ｉ、長い切れ目１２４ｃにより、前記フラップ１２８，１２９，１３０に対し、組立状態で対面する折線のない小さいフラップ１２８ａ，１３０ａ及びこの間の折線１１１ｇにより大きいフラップ１２９ａを形成する。
【００６８】
前記フラップ１３０の右に、長い切れ目１２４ｂ及びこの右側の短い切れ目１２３ｅを介して折目のない小さいフラップ１３１を設ける。一方、前記フラップ１３０ａの左側に長い切れ目１２４ｃを介して隣接し、フラップ１３１と組立状態で対面する同様の折目のないフラップ１３１ａを形成する。
フラップ１３１の右側で、１３１ａの左側であり、前記中央部のフラップ１２５ａの左右には、短い切れ目１２３ｅ，１２３ｆ，１２３ｇ，１２３ｈと折線１１１ｄ，１１ｆを介して、小さなフラップ１３２，１３２ａを形成し、このフラップ１３２，１３２ａは組立状態で対面する。
【００６９】
図の下側の側片１１５には以下のフラップを設ける。
下側の側片１１５の左端部には、短い切れ目１２３ｍと折線１１２とで小さいフラップ１３３を形成し、前記した中央部のフラップ１２５ａの反対側に、対向するように短い切れ目１２３ｎ，１２３ｐ及び折線１２０により組立状態で該フラップ１３３と対面するフラップ１３３ａを設ける。
フラップ１３３の右側には、長い切れ目１２４ａと軸線を同じくする折線１１９を基板１１０の長さ方向に直交するように設け、この間にフラップ１３４を設ける。該フラップ１３４は、前記フラップ１２６，１２７及びこの間の短い切れ目１２３ｂの合計した長さを有する。
図の右側の長い切れ目１２４ｂの延長線上に、軸線を同じくする折線１２０を設け、折線１１９，１１２，１２０とで囲まれた長辺方向に長いフラップ１３５をフラップ１３４と連続して設ける。
【００７０】
フラップ１３５に長辺方向に連続して、折線１２０と中心線ＣＬの切れ目１２３ｎとの間で、折線１１２で囲まれたフラップ１３６を設ける。フラップ１３６は、前記したフラップ１３１，１３１及びこの間の切れ目１２３ｅの合計長さを有する。
図の下の側片１１５の右端部から中心線ＣＬの方向、即ち、左側方向に、折線１１２，１２２，１２１及び短い切れ目１２３ｐを介して、前記フラップ１３４，１３５，１３６と組立状態で対面するフラップ１３４ａ，１３５ａ，１３６ａを対称的に設ける。
【００７１】
次に中央片１１４のフラップについて説明する。
中央片１１４の左端部には、折線１１１ａ，１１６，１１２で囲まれたフラップ１３７を設け、フラップ１３７は、左端部に折線１１６と平行する折線１３８を有する接合フラップ１３９を設ける。
一方、中心線ＣＬの右側には、折線１１１ｅ，１１７，１１８，１１２で周囲を囲まれ、フラップ１３７と組立状態で対面するフラップ１３７ａを設ける。
前記フラップ１３７の右側には、折線１１６と長い切れ目１２４ａとの間にフラップ１４０を設け、フラップ１４０はフラップ１２７と折線のない状態で連続し、逆Ｌ形である。
又右端部には、この側の長い切れ目１２４ｄと折線１１１ｈ，１１２で囲まれたフラップ１４０ａを設ける。フラップ１４０ａは、同様に折線のない状態でフラップ１２７ａと連続し、対称的にＬ型である。
【００７２】
中心線ＣＬの左側で、基板１１０の長さ方向に間隔を開けて設けた長い切れ目１２４ａ，１２４ｂ間には、折線１１２，１１１ｃで囲まれた長辺方向（基板の長さ方向）に長いフラップ１４１を設ける。フラップ１４１は、長さ方向の両側において、上の側片１１３の前記した折線のない左右のフラップ１２８，１３０と連続する。
又中心線ＣＬの右側の長い切れ目１２４ｃ，１２４ｄ間には、同様のフラップ１４１ａを折線のないフラップ１２８ａ，１３０ａを含んで同様に設る。フラップ１４１，１４１ａは組立状態で対面する。
【００７３】
中心線ＣＬの左側（折線１１７の左側）には、長い切れ目１２４ｂと折線１１７，１１１ｄ，１１２で囲まれたフラップ１４２を設け、フラップ１４２は、折線のないフラップ１３１と連続し、Ｌ形をなす。
又中心線ＣＬの右側のこれに近い長い切れ目１２４ｃと折線１１１ｆ，１１２，１１８で囲まれたフラップ１４２ａを設ける。該フラップ１４２ａは、折線のないフラップ１３１ａと連続して逆Ｌ形をなし、該フラップ１４２ａは、前記したフラップ１４２と組立状態で対面する。
【００７４】
以上の各フラップは矩形形状をなし、フラップ１４０，１２７，１４０ａ，１２７ａ，１４２，１３１，１４２ａ，１３１ａは、連続した状態でＬ、又は逆Ｌ形をなし、又１４１，１２８，１３０，１４１ａ，１２８ａ，１３０ａは、連続した状態で折線１１１ｃ，１１２，１１１ｇ，１１２及び切れ目１２４ａ，１２３ｃ，１２３ｄ，１２４ｂ，１２４ｃ，１２３ｉ，１２３ｊ，１２４ｄにより区画されたＵ字形（凹形）をなす。
【００７５】
次に、上記した基板１１０によりＵ字形段ボール梱包箱を組み立て、且つ組立途中で製品を収納、梱包する手順を以下に説明する。
基板１１０は、前記した中心線ＣＬの部分、即ち軸線を同じくする切れ目１２３ｆ，１２３ｎ及び折線１１７の部分を山折して二枚重ねとなる。
これを図１５に示し、この状態を１１０ａで示した。
これにより、図１の中心線ＣＬの左右の部分は二枚重ね状態となり、長辺は１／２の大きさの基板１１０ａとなる。尚、この際、接合フラップ１３９を折線１３８から矢印(k)のように山折しておき、該フラップ１３９を中央片１１４の端部のフラップ１４０ａの端部の下に重ね合せておく。
【００７６】
図１６は、図１５の状態に谷折した１／２長さの基板１１０ａ…を多数枚積層し、長辺の２ヵ所を長さ方向に直交するように、バンド１４３，１４３で結束、緊縛した状態を示す。このような、多数枚積層し、バンド１４３，１４３で緊縛し、長さを１／２とした状態でストックすることができる。
この状態において基板は、周囲にフラップが突出することがない横長矩形形状の板材である。
従って、全くの平板の矩形板材の積層体なので、両側部に引っ掛かる突出部が全くなく、このため緊縛、運搬等に際し、引っ掛けたりすることがない。
このため、緊縛作業、ストック、運搬において、基板を傷つけたり、変形させたり、壊したりすることがない。
【００７７】
図１７は、組立の第１段階を示す斜視図で、矩形横長枠状体を示す斜視図である。
図１５の接合フラップ１３９を中央片１４０ａの端部内面と粘着テープ等で接合する。次に折線１１６を山折し、続いて折線１１８を山折する。既に、折線１１６，１３８は山折しているので、図１７に示すように矩形で横長の枠状体１１０ｂがこの段階で形成される。
前記したフラップ１３７，１３７ａは、長さ方向の両端部において対面する。
【００７８】
次に、第２段階として長さ方向の両端部の片となったフラップ１３７，１３７ａの下方に連続するフラップ１３３，１３３ａを、折線１１２，１１２から矢印(m),(m)のように山折する。
次に、連続するフラップ１３５ａ，１３５（１３４ａ，１３６ａ，１３４，１３６と連続している）を、矢印(n),(n)のように折線１１２，１１２から山折する。
【００７９】
図１８は、上方が開放された横長矩形箱体となった第２段階の状態を示す斜視図である。
箱体１１０ｃは、この状態で底となるフラップ１３４，１３５，１３６の端縁部と、この状態で側面となる１４０ａ，１４１ａ，１４２ａの端縁部とを粘着テープ１４４で接合する。
反対側の側面は、フラップ１４０，１４１，１４２で構成される。
【００８０】
以上により、箱体１１０ｃの底は、フラップ１３４ａ，１３５ａ，１３６ａとフラップ１３４，１３５，１３６とが重なって二枚重ね構造となる。
底の両端部は、フラップ１３４ａと１３４、フラップ１３６ａと１３６の内側、即ち上にフラップ１３３，１３３ａが重なっているので、この部分では三枚重ね構造となる。
【００８１】
図１９は、組み立ての第３段階を示す斜視図である。
図１８で得られた箱体１１０ｃにおいて、箱体１１０ｃを、底を下にして開放部分を上向きにして立てる。
向い合う側面を構成するフラップの内、箱体１１０ｃの長さ方向に離間して配置されている長い切れ目１２４ａ，１２４ｂ，１２４ｃ，１２４ｄ間のフラップ１４１，１４１ａを、折線のないフラップ１２８ａ，１３０ａ，及び短い切れ目１２３ｃ，１２３ｄ，１２３ｉ，１２３ｊと折線１１１ｃ，１１１ｇで形成されたフラップ１２９，１２９ａを含んで、長い切れ目１２４ａ，１２４ｂ，１２４ｃ，１２４ｄ、折線１１２，１１２から元に戻して各外側に開く。
この状態を図１９で示し、この状態の箱体を１１０ｄで示した。
【００８２】
この状態で、例えば樹脂製のバンパーのようなＵ字形製品（Ｗ４）を、横長の正面部（Ｗ５）を下にし、屈曲した両側部（Ｗ６），（Ｗ６）を上向きにして両側が開放された底を構成するフラップ１３５ａ上にその正面部を置く。
両側部（Ｗ６），（Ｗ６）は、フラップ１２８ａ，１３０ａ，１２８（図では現れていない）、１３０と向い合う。
【００８３】
第４段階として、箱体１１０ｄの左右に開いたフラップ１４１ａ，１４１の図の長さ方向の両外側のフラップ１３７，１４０ａ、図では現れないフラップ１４０、図では現れないフラップ１３３，１３４ａ，１３４の組立体部分（便宜上１１０ｅの符号を付す）、及び図では現れない端面のフラップ１３７ａ、フラップ１４２ａ、フラップ１４２、図では現れないフラップ１３３ａ，１３６，１３６ａの組立体部分（便宜上１１０ｆの符号を付す）を、底の折線１２２，１１９とと１２１，１２０の部分から、図１９の矢印(p),(p)に示すように、直角に内側に山折する。
この部分は、前記したように上方に開放されているので、開放部が夫々対称的に内側を向き、製品（Ｗ４）の両側部（Ｗ６），（Ｗ６）は、両端部の組立体部分１１０ｅ，１１０ｆに収納されることとなる。
この状態を図２０で示した。この状態を組み立ての第４段階とする。
【００８４】
図２０の状態では、製品（Ｗ４）は両側部（Ｗ６），（Ｗ６）が組立体部分１１０ｅ，１１０ｆに収納され、正面部（Ｗ５）は、底となるフラップ１３５ａ上に臨む。この状態を１１０ｇで示した。
底の折線１２２，１１９と図では表れない折線１２１，１２０で組立体部分１１０ｅ，１１０ｆを直角に内側に山折した結果、フラップ１４０ａ，１２７ａの端部、図では表れない反対側の１４０，１２７の端部、及びフラップ１４２ａ，１３１ａの端部、フラップ１３１、図では表れない反対側の１４２の端部が、底となったフラップ１３５ａの長さ方向の両端部寄り部分の両側上に位置することとなる。
【００８５】
次に、第５段階として、図２０の矢印(q)で示すように、フラップ１２５ａを折線１１１ｅから下方に山折する。続いてフラップ１３２ａ，１３２を矢印(r),(r)のように山折する。
他方のフラップ１２５，１２６ａ、図では表れない反対側の１２６を同様に谷折する。
爾後、粘着テープで最外側のフラップ１３２ａ及び１２６ａを接合する。
【００８６】
図２１は、粘着テープ１４５で最外側のフラップ１３２ａ及び１２６ａを接合した状態を示し、粘着テープ１４５により接合した状態で第５段階が終了する。両端部の組立体部分の上半部が閉塞された縦方向の箱状部分１１０ｈ，１１０ｉとなった状態を示し、この状態の全体を１１０ｊで示した。
以上により、箱状部分１１０ｈ，１１０ｉの夫々の対面する部分、即ち、図で表れるフラップ１３２ａと、これと対面する図では表れないフラップ１２６ａの部分は、フラップ１２５ａ，１３２，１３２ａ及び１２５，１２６，１２６ａの三枚重ね構造となる。
【００８７】
次に第６段階として、先ず、図２１の矢印(s),(s)のように、開いておいたフラップ１４１ａ、図では表れない１４１を折線１１２，１１２から山折する。
これにより、フラップ１４１ａ及び反対側の１４１の両端寄り部分は、１４０ａ，１４２ａ及び反対側の１４０，１４２の下半部側面に、又折線のないフラップ１２８ａ，１３０ａ及び反対側の１２８，１３０は、フラップ１４０ａ，１４２ａ及び反対側の１４０，１４２の上半部に重なり、この部分は二枚重ね構造となる。
又折線のないフラップ１２７ａ，１３１ａ、反対側の１２７，１３１は、側面となるフラップ１４１ａ，１４１の中間部の左右内面に重なり、この部分も二枚重ね構造となる。
【００８８】
最後に、フラップ１４１ａ，１４１の折線１１１ｇ，１１１ｃで区分されたフラップ１２９ａ，１２９を、図２１の矢印(t),(t)で示すように、折線１１１ｇ，１１１ｃから山折し、図２１において空いている製品（Ｗ４）の正面部（Ｗ５）の中間部上に重ね合せる。
爾後、図２２に示したように、粘着テープ１４６で上となったフラップ１２９の端縁部を、フラップ１４１と接合する。得られたＵ字形の段ボール梱包箱を図２２で示した。その他のコーナー部も、粘着テープ１４７…で接合した。
【００８９】
組み立て過程で製品（Ｗ４）を収納し、梱包したＵ字形の段ボール梱包箱を図２２において１１０ｋで示した。
梱包箱１１０ｋは、中間部の箱状の胴部１１０ｍ、胴部１１０ｍの両端部の箱状の起立部１１０ｎ，１１０ｎを、連続して一体に備える。
胴部１１０ｍの天井部を構成するフラップ１２９は、内側に前記したようにフラップ１２９ａと重なっていることから、二枚重ね構造となる。
【００９０】
以上のように、横長矩形の段ボール紙基板１１０を、切れ目、折線に従って、上記下手順で谷折し、粘着テープで接合する、という簡単な作業で、凹形製品の収納、梱包を同時に並行して行いつつ、凹形段ボール梱包箱を組み立てることができる。
従って、組み立て、製品の収納、梱包作業が極めて容易であり、作業において、基板側方にフラップが一切突出しないことから、組立作業が一層容易化することとなる。
【００９１】
図２３は、得られた段ボール梱包箱１１０ｋ内に製品（Ｗ４）を収納、梱包した状態を示す透視斜視図である。
製品（Ｗ４）の正面部（Ｗ５）は、段ボール梱包箱１１０ｋの中間部の胴部１１０ｍ内に、又両端部の起立部１１０ｎ，１１０ｎ内の下半部に収納される。
製品（Ｗ４）の両側部（Ｗ６），（Ｗ６）は、両端部の起立部１１０ｎ，１１０ｎ内の下半部から上半部にかけて収納される。
【００９２】
図２４は、Ｕ字形段ボール梱包箱１１０ｋの縦断側面図である。
図２４で明らかなように、両端部の起立部１１０ｎの内側部は、フラップ１２５，１２６，１２６ａ及び１２５ａ，１３２，１３２ａの三枚重ね構造である。又胴部１１０ｍの底の部分は、フラップ１３５，１３５ａによって二枚重ね構造となる。
起立部１１０ｎ，１１０ｎの端面は、フラップ１３４，１３４ａ及び１３６ａ，１３６により二枚重ね構造となる。この部分の上部は、フラップ１３３，１３３ａによって三枚重ね構造となる。
従って、剛性を要するコーナー部は、三枚重ね構造となる。
【００９３】
又胴部１１０ｍの天井部は、フラップ１２９，１２９ａの二枚重ね構造となる。
又胴部１１０ｍの両側の長さ方向の中間部を除く部分及び起立部１１０ｎ，１０ｎは、フラップ１４１ａ，１４１，１４０ａ，１４０，１２７ａ，１２７，１３１ａ，１３１，１２８ａ，１２８，１３０ａ，１３０が重なって二枚重ね構造となる。この構造は断面で示していないので、図２０の組み立て状態の図を参照されたい。
【００９４】
従って、図２５に示すように、本発明にかかる段ボール梱包箱１１０ｋ…を、寝かせて平積み状態で多数個段積みした場合、コーナ部が三枚重ね構造、大部分が二枚重ね構造、一部が一枚構造なので、積層した状態における縦方向の剛性が高いものが得られる。
従って、平積み状態で多数個段積みした段ボール梱包箱１１０ｋ…の下位や最下位のものであっても、変形を防止することができ、段ボール梱包箱１１０ｋ…の内に収納し、梱包した製品の変形や傷つきを防止することができる。
このため、従来多数個積層する際に必要であった外箱が不要となる。
【００９５】
又製品を取り出した後において、複数枚構造なので、再使用が可能であり、反復して多数回使用可能である。
従来のように１回〜２回程度の使用可能な段ボール梱包箱と異なって、再使用上極めて有利であり、一枚の基板のみで凹形段ボール梱包箱を得ることができること、基板の裁断、成形が容易で、裁断も１回で足りること、組立が容易であること、多数個段積み積層可能で、外箱を必要としないこと、多数回の使用が可能であること、等により、従来のＵ字形段ボール梱包箱に比較し、大幅なコストダウンが図れる。
尚、実施例ではＵ字形樹脂製品の梱包の例を示したが、梱包する製品の素材は任意である。
【００９６】
【発明の効果】
本発明は、上記構成により次の効果を発揮する。
請求項１は、段ボール梱包箱であって、段ボール梱包箱であって、横長矩形の段ボール基板の短辺を、中央部のブロック、これの両外側のブロックの三個のブロックに区画するように長辺方向に延びるように設けた２本の折線と、該折線で区画された中央部のブロック及び一方の外側のブロックに設けられ、該折線と直交する方向に設けた複数の折線と、両外側のブロックに設けられ、長辺方向に延びるように設けた折線と直交する方向に設けた複数の短い切れ目と、一方の外側のブロック及び中央部のブロックにかかるように設けられ、前記短い切れ目と平行し、長辺方向に延びるように設けた折り線と直交する方向に設けた複数の長い切れ目を設け、これ等の折線、切れ目で区画された複数のフラップを備え、前記折線及び切れ目から該フラップを折り曲げて形成される箱状の胴部と、該胴部の少なくとも一端部に、該胴部と直角の方向に起立する箱状の起立部を一体に備える。
【００９７】
請求項１では、一枚の段ボール基板として横長矩形のものを用い、これに短辺を三個のブロックに区画するように長辺方向に延びる折線を設け、この折線と直交するように折線、短い切れ目、長い切れ目を設け、これ等の折線、切れ目から折り曲げるだけで、箱状の胴部と、胴部の少なくとも一端部に箱状の起立部を備える段ボール梱包箱を得ることができる。
又一枚の展開形状が横長矩形の段ボール基板であり、一枚の基板の裁断、切れ目、折線を設けることが、一回の成形作業で行うことができので、基板の裁断、成形が容易である。そして、基板を切れ目、折線で折り、粘着テープ等で接合するだけで、容易に組み立てることができる。
この結果、Ｌ字形やＵ字形の段ボール梱包箱を、二枚の段ボール基板を必要とすることなく、複雑形状の段ボール基板とすることなく、基板及び基板の裁断や折線、切れ目の製作、組み立て上従来に比較して安価に得ることができる。
【００９８】
又段ボール紙基板が横長矩形の単純形状なので、中心部から山折することで、長さが１／２の単純形状の矩形基板となり、周囲にフラップが突出することがなく、１／２に折った状態で横長矩形の板材として平積み積層ができる。紐やバンドで縛着等してストックする上で極めて有利であり、周囲に異形のフラップが全く突出しないことから、ストックしておく場合や運搬等において、フラップに触れたりしてこの部分を曲げて傷つけたり、壊したりするこがとがない。
【００９９】
請求項２は、請求項１において、段ボール梱包箱は、胴部及び起立部がフラップの二枚重ね構造で、一部がフラップの三枚重ね構造で、他の一部が一枚のフラップで形成するようにした。
【０１００】
請求項２では、請求項１の効果に加えるに、胴部及び起立部がフラップの二枚重ね構造で、一部がフラップの三枚重ね構造で、他の一部が一枚のフラップで形成したので、剛性を要する部分が三枚重ね構造で、その他の剛性を有する部分が二枚重ね構造であり、剛性をさほど要しない部分は例外的に１枚構造となり、得られた段ボール梱包箱は、それ自身で高い剛性を備える。
従って、Ｌ字形やＵ字形の製品を収納するＬ字形やＵ字形の段ボール梱包箱を、平積み状態で多数段積みした場合における下位や最下位部位の段ボール梱包箱であっても、段ボール梱包箱の変形を十分に防止することができる。このため、多数積層して段積みする際に必要とした外箱を必要とすることがない。
【０１０１】
又大部分が二枚重ね構造で、高い剛性を要する部分が三枚重ね構造であり、剛性をさほど必要としない部分が一枚構造なので、上述のように外箱を用いること無く多数枚段積みしても傷むことがなく、段ボール梱包箱を展開して分解し、梱包製品の取り出した後においても高い剛性を保持することができ、基板の傷みは少ない。
従って、段ボール梱包箱は、組み立て、梱包を反復して多数回にわたって再使用が可能である。このように、反復して多数回の使用することで、コスト的に極めて有利である。又リサイクルの点においても極めて有利である。
【０１０２】
請求項３は、請求項１又は請求項２において、段ボール梱包箱は外形がＬ字形であり、Ｌ字形の製品を収納、梱包するようにした。
【０１０３】
請求項３では、請求項１又は請求項２の効果に加えるに、Ｌ字形の段ボール梱包箱を、裁断や折線、切れ目を形成し、製作がが容易である一枚の横長矩形の単純形状の段ボール基板により、組み立てることができる。
得られたＬ字形の段ボール梱包箱は、殆どが二枚構造、三枚構造なので、高い剛性を備える。このため、Ｌ字形製品を収納、梱包した状態で、外箱を必要とすることなく、Ｌ字形段ボール梱包箱を多数個積層することができる。
Ｌ字形段ボール梱包箱を展開して分解し、梱包製品の取り出した際、基板の傷みは少なく、再使用が可能である。
【０１０４】
請求項４は、請求項１又は請求項２において、段ボール梱包箱は外形がＵ字形（凹形）であり、Ｕ字形（凹形）の製品を収納、梱包するようにした。
【０１０５】
請求項４では、請求項１又は請求項２の効果に加えるに、Ｕ字形の段ボール梱包箱を、裁断や折線、切れ目を形成し、製作がが容易である一枚の横長矩形の単純形状の段ボール基板により、組み立てることができる。
得られたＵ字形の段ボール梱包箱は、殆どが二枚構造、三枚構造なので、高い剛性を備える。このため、Ｕ字形製品を収納、梱包した状態で、外箱を必要とすることなく、Ｕ字形段ボール梱包箱を多数個積層することができる。
Ｕ字形段ボール梱包箱を展開して分解し、梱包製品の取り出した際、基板の傷みは少なく、再使用が可能である。
【０１０６】
請求項５は、請求項１、請求項２又は請求項３において、段ボール基板１０の短辺を三個のブロックに区画するように長辺方向に延びるように設けた二本の折線は、長さ方向に連続する複数の線分１２ａ，１２ｂ，１２ｃ，１２ｄ，１２ｅ，１２ｆを繋いだ折線１２と、長辺方向に繋がらない複数の線分１１ａ，１１ｂ，１１ｃ，１１ｄ，１１ｅ，１１ｆを有する折線１１とで構成し、該基板１０の前記折線１１，１２の外側の片１３，１５の長さ方向に、大小の間隔を開けて該折線に達する短い切れ目３９，５３，２５，１６，４９，３１，１９，２６，１７，２０を設け、且つ一方の外側の片１３から、一方の折線１１を越えて他方の折線１２に達する長い切れ目４１，３３を設け、折線１１，１２間の中央部の片１４には、切れ目２５，２６間を繋ぐ折線３０を、切れ目１６，１７を繋ぐ折線１８を、切れ目１９，２０を繋ぐ折線２１を設け、他方の外側の片１５には、前記した長い切れ目４１，３３を延長する折線４４，３６を設け、これ等切れ目、折線により一方の外側の片１３にフラップ４０，４２，５４，５６，２７，５０，５１，３４，３２，２２を設け、他方の外側の片１５にはフラップ４５，４６，２８，３７，３８，２３を設け、中央部の片１４にはフラップ４３，５５，２９，５２，３５，２４を設け、且つ一端部の中央部のフラップ４３の外側には、折線４７を有する接合フラップ４８を設け、該段ボール紙の基板を以下のように折り曲げて組み立て、接合することで形成したＬ形製品を収納し、梱包するためのＬ字形段ボール梱包箱で、
（１）基板１０の長さ方向の中央部の対向する切れ目１６，１７、この間の折線１８を山折りし、隣接する切れ目２５，２６、この間の折線３０を山折りし、切れ目１９，２０、この間の折線２１を山折りし、フラップ２４と折線４７で谷折りした接合フラップ４８とを接合し、長い両側の片５２，３５，５５，４３及び短い両端部の片２４，２９で囲まれた矩形枠状体を組み立てる。
（２）前記折線１２ｃ，１２ｆ，１２ｂ，１２ａ，１２ｄ，１２ｅを山折りしてフラップ２８，２３，３７，３８，４６，４５を重ね合わせ、接合し、端部が三枚重ねで、中間部が二枚重ねの底を備える上方が開放された矩形箱体を組み立てる。
（３）前記矩形箱体の両側の長い切れ目４１，３３と一方の端部の片２９との間の中に、Ｌ形の製品を収納する。
（４）該切れ目４１，３３、この間の折線３６，４４を山折りし、フラップ２４が上となってＬ形となるように、フラップ３５，４３とをフラップ５２，５５の切れ目４１，３３に近い部分及びフラップ３４ｈ，５４の内側に重ね合わせて二枚重ねとし、フラップ５２，４３に連続するフラップ３４，４２をフラップ５２，５５の切れ目４１，３３に近い部分の内側に重ね合わせて二枚重ねとする。
（５）折線１１ｆ，１１ａ，１１ｅを谷折りしてフラップ２２，３２，４０を重ね合わせて三枚重ねとして接合し、且つ、折線１１ｃ，１１ｄ，１１ｂを山折りしてフラップ２７，５０，５６を山折りして端部をフラップ２７，５０，５６で三枚重ねとし、他の部分をフラップ５０，５６で二枚重ねとして接合する。
【０１０７】
請求項５では、請求項１、請求項２又は請求項３の効果に加えるに、横長矩形の一枚の段ボール基板を、特定された折線、長短の切れ目を設けるので、段ボール基板の裁断と同時に折線、切れ目を裁断の工程と同時に形成することができ、基板の成形が極めて容易となり、折線、切れ目で区画されたフラップを、折線、切れ目から順次山折りすることで、一部が三枚構造で、大部分が二枚構造であり、最少の一部が一枚構造の剛性の高いＬ字形段ボール梱包箱を、フラップを折る作業、フラップの必要な部分に対するテープの貼着等の作業で、容易に行うことができる。
【０１０８】
請求項６は、請求項１、請求項２又は請求項４において、段ボール基板１１０の短辺を三個のブロックに区画するように長辺方向に延びるように設けた二本の折線は、長辺と平行し、軸線を同じくする繋がった複数の線分からなる折線１１２と、長辺と平行し、繋がらない複数の線分１１１ａ，１１１ｂ，１１１ｃ，１１１ｄ，１１１ｅ，１１１ｆ，１１１ｇ，１１１ｈを有する折線１１１とで構成し、基板１１１の前記折線１１２，１１１の外側の片１１３，１１５の長さ方向に大小の間隔を開けて該折線１１２，１１１に達する短い切れ目１２３ａ，１２３ｂ，１２３ｃ，１２３ｄ，１２３ｅｆ，１２３ｇ，１２３ｈ，１２３ｉ，１２３ｊ，１２３ｋ，１２３ｍ，１２３ｎ，１２３ｐを設け、且つ一方の外側の片１１３には、該片１１３から折線１１２に達する長い切れ目１２４ａ，１２４ｂ，１２４ｃ，１２４ｄを設け、折線１１２，１１１の間の中央部の片１１４には、所定の短い切れ目１２３ａと１２３ｍ、１２３ｆと１２３ｎ，１２３ｇと１２３ｐとの間を繋ぐ折線１１６，１１７，１１８を設け、折線１１２の外側の片１１５には、前記長切れ目１２４ａ，１２４ｂ，１２４ｃ，１２４ｄと軸線を同じくする折線１１９，１２０，１２１，１２２を設け、折線１１１の外側の片１１３には、切れ目１２３ａ〜１２３ｋと折線１１１の折線１１１ａ，１１１ｂ，１１１ｃ，１１１ｄ，１１１ｅ，１１１ｆ，１１１ｇ，１１１ｈ、折線１１２とで区分されたフラップ１２５，１２６，１２９，１３２，１２５ａ，１３２ａ，１２９ａ，１２６ａを設け、前記長い切れ目１２４ａ，１２４ｂ，１２４ｃ，１２４ｄの長さ方向の両側には、折線のないフラップ１２７，１２８，１３０，１３１，１３１ａ，１３０ａ，１２８ａ，１２７ａを設け、中央部の片１１４には、前記折線１１６，１１７，１１８、長い切れ目１２４ａ，１２４ｂ，１２４ｃ，１２４ｄとで区分されたフラップ１３７，１４０，１４１，１４２，１３７ａ，１４２ａ，１４１ａ，１４０ａを設け、折線１１２の外側の片１１５には、短い切れ目１３ｍ，１２３ｎ，１２３ｐ、折線１１９，１２０，１２１，１２２と折線１１２とで区分されフラップ１３３，１３４，１３５，１３６，１３３ａ，１３６ａ，１３５ａ，１３４ａを設け、且つ一端部の中央部の片１３７の外側には、折線１３８を有する接合フラップ１３９を設け、該段ボール基板１１０を以下のように折り曲げて組み立て、接合することで形成したＵ字形製品を収納、梱包するためのＵ字形段ボール梱包箱で、
（１）基板１１０の長さ方向の中心線ＣＬに臨む短い切れ目１２３ｆ，１２３ｎ、この間の折線１１７を山折し、中央部の片１１４の一端部のフラップ１３７の外側の接合フラップ１３９を折線１３８で谷折し、該接合フラップ１３９と中央部の片１１４の他端部のフラップ１４０ａの端部とを接合し、矩形横長枠状体１１０ｂを組み立てる。
（２）フラップ１３３，１３３ａを折線１１２から山折し、フラップ１３４ａ，１３５ａ，１３６ａと１３４，１３５，１３６とを折線１１１から山折して重ね合わせ、両端部が三枚重ね構造で、この間の部分が二枚重ね構造となるように重ね合せて接合し、上方を開放した底を有する矩形横長の箱体１１０ｃを組み立てる。
（３）前記箱体１１１ｃの底の折線１１９，１２２及び１２０，１２１の長さ方向の外側の組立体部分１１０ｅ，１１０ｆを、該折線１１９，１２２及び１２０，１２１から山折し、該組立体部分１１０ｅ，１１０ｆの開放端部側をフラップ１３５又は１３５ａの上の幅方向の両端部上に重ねる。
（４）前記組立体部分１１０ｅ，１１０ｆの開放端部側のフラップ１２５，１２６，１２６ａ及び１２５ａ，１３２，１３２ａを折線１１１ａ，１１１ｂ，１１１ｈ及び１１１ｅ，１１１ｄ，１１１ｆから山折して重ね合せて接合し、該組立体部分１１０ｅ，１１０ｆの上半部を三枚重ね構造とし、上半部が閉塞された縦方向の箱状部分１１０ｈ，１１０ｉを組み立てる。
（５）フラップ１４１ａ，１４１を対称的に折線１１２から山折し、折線１１２の外側の長さ方向前後のフラップ１２８ａ，１３０ａ，１３０，１２８及びフラップ１４１ａ，１４１の前後の部分を、前記箱状部分１１０ｈ，１１０ｉを含む組立体部分１１０ｅ，１１０ｆ側面を構成する１４０ａ，１４０，１４２ａ，１４２の外側に重ね合わせ、且つフラップ１４１ａ，１４１の長さ方向の中間部にフラップ１２７ａ，１２７及び１３１ａ，１３１を重ね合わせて二枚重ね構造とし、続いて、折線１１１ｇ，１１１ｃを山折してフラップ１２９ａ，１２９を重ね合せて接合し、二枚重ね合せ構造の上面を組み立てる。
【０１０９】
請求項６では、請求項１、請求項２又は請求項４の効果に加えるに、横長矩形の一枚の段ボール基板を、特定された折線、長短の切れ目を設けるので、段ボール基板の裁断と同時に折線、切れ目を裁断の工程と同時に形成することができ、基板の成形が極めて容易となり、折線、切れ目で区画されたフラップを、折線、切れ目から順次山折りすることで、一部が三枚構造で、大部分が二枚構造であり、最少の一部が一枚構造の剛性の高いＵ字形段ボール梱包箱を、フラップを折る作業、フラップの必要な部分に対するテープの貼着等の作業で、容易に行うことができる。
【０１１０】
請求項７は、請求項６において、底を有する矩形横長の箱体１１０ｃを組み立て、折線１１２から該箱体１１０ｃの長さ方向中間部の両側のフラップ１４１ａ，１４１を、フラップ１３０ａ，１２８ａ，１３０，１２８を含んで開き、この間にＵ字形製品をＵ字形の姿勢で配置し、爾後、前記組立体部分１１０ｅ，１１０ｆを折線１１９，１２２及び１２０，１２１から山折するようにした。
【０１１１】
請求項７では、請求項６の効果に加えるに、組み立ての途中のＵ字形段ボール梱包箱の半完成品の状態でＵ字形製品をセットし、組み立てを進めることで、梱包箱の組み立てと並行して製品の収納、梱包を行うことができる。
【図面の簡単な説明】
【図１】Ｌ形段ボール梱包箱の基板の展開図
【図２】図１で示した基板を２つ折にした状態の斜視図
【図３】図２において２つ折りした基板を多数枚積層して平積み状態とした斜視図
【図４】Ｌ形段ボール梱包箱の組み立ての第１段階を示す説明的斜視図
【図５】Ｌ形段ボール梱包箱の組み立ての第２段階を示す斜視図で箱体を組み立てた状態の図
【図６】上方が開放された矩形横長の箱体にＬ形の製品である自動車のフロントフェンダーを収納する状態を示す斜視図
【図７】箱体からＬ形箱に組み立てる第３段階を示す図
【図８】箱体をＬ形に端部を折曲げた状態の斜視図で、第４段階を示す図
【図９】箱体にＬ形部分を組み立てた状態の第５段階を示す斜視図
【図１０】Ｌ形梱包箱の外観を示す斜視図
【図１１】Ｌ形梱包箱の透視斜視図
【図１２】Ｌ形段ボール梱包箱の中央縦断側面図
【図１３】Ｌ形の製品を収納、梱包したＬ形段ボール梱包箱を横向きにして多数個積層して段積みし、巴形に配置した状態を示す斜視図
【図１４】本発明の第２の実施の形態にかかるＵ形の段ボール梱包箱の基板の展開図
【図１５】図１４に示した基板を中心線の部分を谷折して二枚重ねとした状態の斜視図
【図１６】折った基板を積層し、緊縛した状態を示す斜視図
【図１７】組立の第１段階を示す斜視図で、矩形横長枠状体を示す斜視図
【図１８】上方が開放された横長矩形箱体となった第２段階の状態を示す斜視図
【図１９】組立の第３段階を示す斜視図
【図２０】組立の第４段階を示す斜視図
【図２１】粘着テープにより接合した状態を示した組み立ての第５段階が終了した状態の斜視図で、組み立ての第６段階を含む図
【図２２】段ボールのＵ字形段ボール梱包箱を組み立てた状態の斜視図
【図２３】Ｕ字形段ボール梱包箱内に製品を収納、梱包した状態を示す透視斜視図
【図２４】Ｕ字形段ボール梱包箱の縦断側面図
【図２５】Ｕ字形の製品を収納、梱包したＵ字形の段ボール梱包箱を横向きにして多数個積層して段積みした状態を示す斜視図
【符号の説明】
１０，１１０…基板、  １１，１２，１１１，１１２…基板の短辺を三個のブロックに区画する折線、  １３，１４，１５，１１３，１１４，１１５…三個のブロックである上側部の片、中央部の片、下側部の片、  ３９，５３，２５，１６，４９，３１，１９，２６，１７，２０，１２３ａ，１２３ｂ，１２３ｃ，１２３ｄ，１２３ｅ，１２３ｆ，１２３ｇ，１２３ｈ，１２３ｉ，１２３ｊ，１２３ｋ，１２３ｍ，１２３ｎ，１２３ｐ…短い切れ目、  ４１，３３，１２４ａ，１２４ｂ，１２４ｃ，１２４ｄ…長い切れ目、４７，３０，１８，２１，１３８，１１７，１１８，…中部の片の長辺と直交する折線、  ４４，３６，１１９，１２０，１２１，１２２…下側部の片の長辺と直交する折線、  ４０，４２，４３，４５，４６，５４，５５，５６，２７，２９，２８，５０，５１，５２，３７，３４，３５，３８，２２，２４，２３…フラップ、１２５，１３７，２３４，１２７，１４０，１２８，１２９，１４１，１３５，１３０，１３１，１４２，１３６，１３２，１２５ａ，１３７ａ，１３３ａ，１３２ａ，１３１ａ，１４２ａ，１３６ａ，１３０ａ，１４１ａ，１３５ａ，１２９ａ，１２８ａ，１２７ａ，１４０ａ，１２６ａ，１３４ａ…フラップ、  ４８，１３９…接合フラップ、  １０ｄ…Ｌ字形段ボール梱包箱、  １１０ｋ…Ｕ字形段ボール梱包箱、  １０ｅ，１１０ｍ…胴部、  １０ｆ，１１０ｎ…起立部。
【図１】
0003730067.tif 000002
【図２】
0003730067.tif 000003
【図３】
0003730067.tif 000004
【図４】
0003730067.tif 000005
【図５】
0003730067.tif 000006
【図６】
0003730067.tif 000007
【図７】
0003730067.tif 000008
【図８】
0003730067.tif 000009
【図９】
0003730067.tif 000010
【図１０】
0003730067.tif 000011
【図１１】
0003730067.tif 000012
【図１２】
0003730067.tif 000013
【図１３】
0003730067.tif 000014
【図１４】
0003730067.tif 000015
【図１５】
0003730067.tif 000016
【図１６】
0003730067.tif 000017
【図１７】
0003730067.tif 000018
【図１８】
0003730067.tif 000019
【図１９】
0003730067.tif 000020
【図２０】
0003730067.tif 000021
【図２１】
0003730067.tif 000022
【図２２】
0003730067.tif 000023
【図２３】
0003730067.tif 000024
【図２４】
0003730067.tif 000025
【図２５】
0003730067.tif 000026